(57)【要約】  空気調和機室外ユニットは、非空調対象空間に設けられる筐体と、筐体に着脱自在に取り付けられ、筐体の運搬時に握持部として利用可能な運搬取っ手と、を備える。
2020021660.tif 000002
【特許請求の範囲】
【請求項１】
非空調対象空間に設けられる筐体と、
前記筐体に着脱自在に取り付けられ、前記筐体の運搬時に握持部として利用可能な運搬取っ手と、
を備える空気調和機室外ユニット。
【請求項２】
前記運搬取っ手は、
前記筐体に着脱自在に取り付けられる取付部と、
前記取付部に固定された握り部と、を有する
請求項１記載の空気調和機室外ユニット。
【請求項３】
前記筐体は、
外部側部を構成する外郭部品を含み、
前記外郭部品は、前記運搬取っ手が係止される係止部を有し、
前記取付部が前記係止部の内側に設けられ、前記握り部が前記係止部の外側に設けられる
請求項２記載の空気調和機室外ユニット。
【請求項４】
前記係止部には、前記握り部が側方から挿入されるスリット部が形成されている
請求項３記載の空気調和機室外ユニット。
【請求項５】
前記握り部が前記スリット部に挿入されることによって、前記運搬取っ手は前記筐体にスライドして取り付けられる
請求項４記載の空気調和機室外ユニット。
【請求項６】
前記係止部の前記スリット部の上方の上側垂直面には、前記スリット部から上方に向かって切り欠かれた切り欠き部が形成されており、
前記運搬取っ手が前記筐体に取り付けられた状態で、前記握り部が握持されて前記筐体が持ち上げられるとき、前記握り部が前記切り欠き部に挿入される
請求項５記載の空気調和機室外ユニット。
【請求項７】
前記係止部の前記スリット部の下方の下側垂直面は、前記上側垂直面よりも内側に奥まっている
請求項６記載の空気調和機室外ユニット。
【請求項８】
前記係止部は、前記外郭部品の最外側よりも内側に奥まって設けられている
請求項３〜７のいずれか１項に記載の空気調和機室外ユニット。
【請求項９】
前記筐体には、他部品と締結されるネジ穴が形成され、
前記運搬取っ手には、前記ネジ穴に対応する取っ手穴が形成されており、
前記運搬取っ手は、前記ネジ穴及び前記取っ手穴を用いて前記筐体に取り付けられる
請求項１記載の空気調和機室外ユニット。
【請求項１０】
前記運搬取っ手は、前記筐体の両側の外部側面に取り付けられる
請求項１〜９のいずれか１項に記載の空気調和機室外ユニット。
【発明の詳細な説明】
【技術分野】
【０００１】
本発明は、人が手で運搬する空気調和機室外ユニットに関する。
【背景技術】
【０００２】
従来、据付等を行うために取っ手が設けられた空気調和機室外ユニットが知られている。特許文献１には、空気調和機の本体にネジを用いて固定された取っ手が開示されている。特許文献１において、取っ手がネジで固定される際、本体の天板と側板とをネジで貫通することによって、取っ手が固定されるのと同時に、天板と側板とも固定される。即ち、取っ手は、本体に常時取り付けられている。
【先行技術文献】
【特許文献】
【０００３】
【特許文献１】実開昭６３−３６７９２号公報
【発明の概要】
【発明が解決しようとする課題】
【０００４】
しかしながら、特許文献１に開示された取っ手は、本体の外側に向かって常時取り付けられているため、通行人が空気調和機の本体の近くを通行する際の妨げとなる。【０００５】
本発明は、上記のような課題を解決するためになされたもので、通行人が通行する妨げにならない空気調和機室外ユニットを提供するものである。
【課題を解決するための手段】
【０００６】
本発明に係る空気調和機室外ユニットは、非空調対象空間に設けられる筐体と、筐体に着脱自在に取り付けられ、筐体の運搬時に握持部として利用可能な運搬取っ手と、を備える。
【発明の効果】
【０００７】
本発明によれば、運搬取っ手が筐体に着脱自在に取り付けられているため、非運搬時に運搬取っ手を取り外すことが容易である。このため、運搬取っ手が通行の妨げとならない。
【図面の簡単な説明】
【０００８】
【図１】本発明の実施の形態１に係る空気調和機１を示す回路図である。
【図２】本発明の実施の形態１に係る空気調和機室外ユニット２を示す斜視図である。
【図３】本発明の実施の形態１に係る外郭部品２１及び運搬取っ手３０を示す斜視図である。
【図４】本発明の実施の形態１に係る外郭部品２１及び運搬取っ手３０を示す正面図である。
【図５】本発明の実施の形態１に係る外郭部品２１を示す側面断面図である。
【図６】本発明の実施の形態１に係る外郭部品２１を示す側面断面図である。
【図７】本発明の実施の形態１に係る外郭部品２１に運搬取っ手３０が装着された状態を示す斜視図である。
【図８】本発明の実施の形態１に係る外郭部品２１及び運搬取っ手３０を示す側面断面図である。
【図９】本発明の実施の形態１に係る外郭部品２１及び運搬取っ手３０を示す側面断面図である。
【図１０】本発明の実施の形態２に係る外郭部品１２１及び運搬取っ手３０を示す斜視図である。
【発明を実施するための形態】
【０００９】
実施の形態１．
以下、本発明に係る空気調和機室外ユニットの実施の形態について、図面を参照しながら説明する。図１は、本発明の実施の形態１に係る空気調和機１を示す回路図である。図１に示すように、空気調和機１は、空調対象空間の空気を調整する装置であり、非空調対象空間に設けられる空気調和機室外ユニット２と、空調対象空間に設けられる空気調和機室内ユニット３とを備えている。空気調和機室外ユニット２には、圧縮機５、流路切替装置６、室外熱交換器７、室外送風機８及び膨張部９が設けられている。空気調和機室内ユニット３には、室内熱交換器１０及び室内送風機１１が設けられている。
【００１０】
圧縮機５、流路切替装置６、室外熱交換器７、膨張部９及び室内熱交換器１０が配管により接続されて冷媒回路４が構成されている。圧縮機５は、低温且つ低圧の状態の冷媒を吸入し、吸入した冷媒を圧縮して高温且つ高圧の状態の冷媒にして吐出するものである。流路切替装置６は、冷媒回路４において冷媒が流れる方向を切り替えるものであり、例えば四方弁である。室外熱交換器７は、例えば室外空気と冷媒との間で熱交換するものである。室外熱交換器７は、冷房運転時には凝縮器として作用し、暖房運転時には蒸発器として作用する。
【００１１】
室外送風機８は、室外熱交換器７に室外空気を送る機器である。膨張部９は、冷媒を減圧して膨張する減圧弁又は膨張弁である。膨張部９は、例えば開度が調整される電子式膨張弁である。室内熱交換器１０は、例えば室内空気と冷媒との間で熱交換するものである。室内熱交換器１０は、冷房運転時には蒸発器として作用し、暖房運転時には凝縮器として作用する。室内送風機１１は、室内熱交換器１０に室内空気を送る機器である。
【００１２】
（運転モード、冷房運転）
次に、空気調和機１の運転モードについて説明する。先ず、冷房運転について説明する。冷房運転において、圧縮機５に吸入された冷媒は、圧縮機５によって圧縮されて高温且つ高圧のガス状態で吐出する。圧縮機５から吐出された高温且つ高圧のガス状態の冷媒は、流路切替装置６を通過して、凝縮器として作用する室外熱交換器７に流入し、室外熱交換器７において、室外送風機８によって送られる室外空気と熱交換されて凝縮して液化する。凝縮された液状態の冷媒は、膨張部９に流入し、膨張部９において膨張及び減圧されて低温且つ低圧の気液二相状態の冷媒となる。
【００１３】
そして、気液二相状態の冷媒は、蒸発器として作用する室内熱交換器１０に流入し、室内熱交換器１０において、室内送風機１１によって送られる室内空気と熱交換されて蒸発してガス化する。このとき、室内空気が冷やされ、室内において冷房が実施される。蒸発した低温且つ低圧のガス状態の冷媒は、流路切替装置６を通過して、圧縮機５に吸入される。
【００１４】
（運転モード、暖房運転）
次に、暖房運転について説明する。暖房運転において、圧縮機５に吸入された冷媒は、圧縮機５によって圧縮されて高温且つ高圧のガス状態で吐出する。圧縮機５から吐出された高温且つ高圧のガス状態の冷媒は、流路切替装置６を通過して、凝縮器として作用する室内熱交換器１０に流入し、室内熱交換器１０において、室内送風機１１によって送られる室内空気と熱交換されて凝縮して液化する。このとき、室内空気が暖められ、室内において暖房が実施される。凝縮された液状態の冷媒は、膨張部９に流入し、膨張部９において膨張及び減圧されて低温且つ低圧の気液二相状態の冷媒となる。
【００１５】
そして、気液二相状態の冷媒は、蒸発器として作用する室外熱交換器７に流入し、室外熱交換器７において、室外送風機８によって送られる室外空気と熱交換されて蒸発してガス化する。蒸発した低温且つ低圧のガス状態の冷媒は、流路切替装置６を通過して、圧縮機５に吸入される。
【００１６】
図２は、本発明の実施の形態１に係る空気調和機室外ユニット２を示す斜視図である。図２に示すように、空気調和機室外ユニット２は、筐体２０を備えている。筐体２０は、外部側部を構成する複数の外郭部品２１を含む。以下の説明では、外郭部品２１のうち、空気調和機室外ユニット２の下部且つ側部の外郭部品２１について説明する。
【００１７】
図３は、本発明の実施の形態１に係る外郭部品２１及び運搬取っ手３０を示す斜視図である。図３に示すように、外郭部品２１は、上部に位置する上部面２１ａと、上部面２１ａの下部に位置し、上部面２１ａよりも外側に張り出した下部面２１ｂとを有している。上部面２１ａは、運搬取っ手３０が係止される係止部２２を有している。なお、空気調和機室外ユニット２は、筐体２０に着脱自在に取り付けられる運搬取っ手３０を備えている。運搬取っ手３０は、人が筐体２０を設置場所に据え付ける際に手で握持できる握持部として利用可能に設けられる。運搬取っ手３０は、例えば筐体２０の両側の外部側面に取り付けられるものであり、取付部３１と、握り部３２とを有している。取付部３１は、平板状をなしており、筐体２０に着脱自在に取り付けられる。取付部３１には、両端部に取っ手穴３１ａが形成されているが、本実施の形態１では取っ手穴３１ａは使用されない。握り部３２は、Ｕ字状をなしており、両端部が取付部３１に固定され人が筐体２０の運搬時に握持する部分である。
【００１８】
図４は、本発明の実施の形態１に係る外郭部品２１及び運搬取っ手３０を示す正面図である。図４に示すように、係止部２２には、運搬取っ手３０の握り部３２が側方から挿入されるスリット部２７が形成されている。そして、運搬取っ手３０は、握り部３２がスリット部２７に挿入されることによって、筐体２０にスライドして取り付けられる。また、係止部２２のスリット部２７の上方には、スリット部２７から上方に向かって切り欠かれた切り欠き部２８が形成されている。
【００１９】
図５は、本発明の実施の形態１に係る外郭部品２１を示す側面断面図であり、図４のＡ−Ａ断面図である。図５は、係止部２２のうち、切り欠き部２８が形成されていない部分を示す図である。図５に示すように、係止部２２の頂点Ｙ、Ｚは、外郭部品２１の最外側Ｘよりも内側に奥まって設けられている。係止部２２は、外郭部品２１の下部面２１ｂ（最外側Ｘ）よりも奥まった上部面２１ａから、運搬取っ手３０の取付部３１と握り部３２とに挟まれるように、上部面２１ａの外側に向かって突出している。そして、運搬取っ手３０の取付部３１が係止部２２の内側に設けられ、運搬取っ手３０の握り部３２が係止部２２の外側に設けられる。また、係止部２２は、上側水平面２３と、上側垂直面２４と、下側水平面２５と、下側垂直面２６とを有している。
【００２０】
上側水平面２３は、上部面２１ａに接続され、スリット部２７より上方に位置する略水平の面であり、運搬取っ手３０の取付部３１が上方に移動することを抑制する。上側垂直面２４は、第１の上側垂直面２４ａと第２の上側垂直面２４ｂ（図６参照）とを有している。第１の上側垂直面２４ａは、スリット部２７より上方に位置し、上側水平面２３に接続された面であり、運搬取っ手３０の握り部３２の端部が嵌まって握り部３２が水平に移動することを抑制する。
【００２１】
下側水平面２５は、下部面２１ｂに接続され、スリット部２７よりも下方に位置する略水平の面であり、運搬取っ手３０の取付部３１が下方に移動することを抑制する。下側垂直面２６は、スリット部２７より下方に位置し、下側水平面２５に接続された面であり、運搬取っ手３０の握り部３２がスライドすることをガイドする。なお、下側垂直面２６は、第１の上側垂直面２４ａよりも内側に奥まっていてもよい。即ち、係止部２２の下側垂直面２６側の頂点Ｚは、第１の上側垂直面２４ａ側の頂点Ｙよりも内側に奥まっていてもよい。下側垂直面２６は、運搬取っ手３０の握り部３２のスライドをガイドする機能を有しており、第１の上側垂直面２４ａのように取付部３１の水平移動を規制するものではないため、上側垂直面２４よりも奥まっていてもよい。
【００２２】
図６は、本発明の実施の形態１に係る外郭部品２１を示す側面断面図であり、図４のＢ−Ｂ断面図である。図６は、係止部２２のうち、切り欠き部２８が形成されている部分を示す図である。図６に示すように、係止部２２は、第２の上側垂直面２４ｂを有しており、第２の上側垂直面２４ｂは、図５に比べて短く、下方に切り欠き部２８が形成されている。運搬取っ手３０の握り部３２の端部が、切り欠き部２８に挿入されることにより、第１の上側垂直面２４ａによって、水平方向の移動が規制される。
【００２３】
図７は、本発明の実施の形態１に係る外郭部品２１に運搬取っ手３０が装着された状態を示す斜視図である。運搬取っ手３０は、握り部３２がスリット部２７にスライド挿入されることによって、図７に示すように、筐体２０にスライドして取り付けられる。
【００２４】
図８は、本発明の実施の形態１に係る外郭部品２１及び運搬取っ手３０を示す側面断面図である。次に、運搬取っ手３０が筐体２０に取り付けられる動作について説明する。図８に示すように、運搬取っ手３０は、筐体２０の係止部２２の側面からスライドして挿入される。このとき、運搬取っ手３０の握り部３２は、係止部２２のスリット部２７に挿入され、取付部３１は、係止部２２の内側に入り込む。そして、取付部３１のスライド方向の先端が係止部２２の端部であるスリット部２７の終端に突き当たると、スライドが終了する。
【００２５】
図９は、本発明の実施の形態１に係る外郭部品２１及び運搬取っ手３０を示す側面断面図である。次に、筐体２０が持ち上げられる際の運搬取っ手３０の位置について説明する。運搬取っ手３０が筐体２０に取り付けられた状態で、握り部３２が握持されて筐体２０が持ち上げられるとき、図９に示すように、握り部３２が上方に移動する（図９の破線から実線へ移動）。このとき、握り部３２の端部が図４に示す切り欠き部２８に挿入される。これにより、握り部３２が水平方向に移動しようとしても、第１の上側垂直面２４ａに当たるため、移動が規制される。
【００２６】
握り部３２が切り欠き部２８に挿入されて第２の上側垂直面２４ｂの下端にまで到達する（図６参照）と、握り部３２が上方に移動することが終了し、その後、握り部３２に加わる力を介して筐体２０が上方に持ち上がっていく。筐体２０の運搬が終了して、握り部３２から手を離すと、握り部３２は重力によって下方に落下し、切り欠き部２８から抜け出る。その後、運搬取っ手３０は、挿入時のスライド方向とは反対方向にスライドされることによって、筐体２０から取り外される。
【００２７】
本実施の形態１によれば、運搬取っ手３０が筐体２０に着脱自在に取り付けられているため、非運搬時に運搬取っ手３０を取り外すことが容易である。このため、運搬取っ手３０が通行の妨げとならない。運搬取っ手３０は、スライドして筐体２０に取り付けられているため、容易に筐体２０から取り外される。よって、取り外し後は、運搬取っ手３０が筐体２０から飛び出ない。従って、運搬取っ手３０が通行人に接触することを抑制することができる。なお、運搬取っ手３０が取り外された状態において、筐体２０の係止部２２が通風口の機能を担う。このため、筐体２０の内部に設けられた電気品の温度が上昇することを抑制することができる。また、係止部２２は、外郭部品２１の最外側Ｘよりも内側に奥まって設けられている。このため、係止部２２が筐体２０から飛び出ない。従って、係止部２２が通行の妨げとならない。
【００２８】
実施の形態２．
図１０は、本発明の実施の形態２に係る外郭部品１２１及び運搬取っ手３０を示す斜視図である。本実施の形態２は、空気調和機室外ユニット１０２において、運搬取っ手３０の取付部３１の取っ手穴３１ａが使用される点で、実施の形態１と相違する。本実施の形態２では、実施の形態１と同一の部分は同一の符号を付して説明を省略し、実施の形態１との相違点を中心に説明する。
【００２９】
図１０に示すように、筐体１２０の外郭部品１２１には、２個のネジ穴１２０ａが形成されている。ここで、取っ手穴３１ａはネジ穴１２０ａに対応するように形成されている。ネジ穴１２０ａは、外郭部品１２１と他部品とがネジ止めされる際に使用される。運搬取っ手３０は、外郭部品１２１と他部品とを締結するネジを用いて、筐体１２０に取り付けられる。運搬取っ手３０は、ネジが取っ手穴３１ａに挿入されて、ネジ穴１２０ａに螺合することによって、筐体１２０に取り付けられる。即ち、運搬取っ手３０は、ネジ穴１２０ａ及び取っ手穴３１ａを用いて筐体１２０に取り付けられる。なお、筐体１２０の運搬が終了した後、ネジが外されることによって、運搬取っ手３０が取り外される。従って、外郭部品２１に係止部２２が形成されていなくても、実施の形態１と同様の効果を得ることができる。
【符号の説明】
【００３０】
１  空気調和機、２  空気調和機室外ユニット、３  空気調和機室内ユニット、４  冷媒回路、５  圧縮機、６  流路切替装置、７  室外熱交換器、８  室外送風機、９  膨張部、１０  室内熱交換器、１１  室内送風機、２０  筐体、２１  外郭部品、２１ａ  上部面、２１ｂ  下部面、２２  係止部、２３  上側水平面、２４  上側垂直面、２４ａ  第１の上側垂直面、２４ｂ  第２の上側垂直面、２５  下側水平面、２６  下側垂直面、２７  スリット部、２８  切り欠き部、３０  運搬取っ手、３１  取付部、３１ａ  取っ手穴、３２  握り部、１０２  空気調和機室外ユニット、１２０  筐体、１２０ａ  ネジ穴、１２１  外郭部品。
【図１】
2020021660.tif 000003
【図２】
2020021660.tif 000004
【図３】
2020021660.tif 000005
【図４】
2020021660.tif 000006
【図５】
2020021660.tif 000007
【図６】
2020021660.tif 000008
【図７】
2020021660.tif 000009
【図８】
2020021660.tif 000010
【図９】
2020021660.tif 000011
【図１０】
2020021660.tif 000012
【手続補正書】
【提出日】令和2年10月14日(2020.10.14)
【手続補正１】
【補正対象書類名】明細書
【補正対象項目名】０００６
【補正方法】変更
【補正の内容】
【０００６】
本発明に係る空気調和機室外ユニットは、非空調対象空間に設けられ、外部側部を構成する外郭部品を含む筐体と、筐体に着脱自在に取り付けられ、筐体の運搬時に握持部として利用可能な運搬取っ手と、を備え、外郭部品は、運搬取っ手が係止される係止部を有し、係止部は、外郭部品の最外側よりも内側に奥まって設けられている。
【手続補正２】
【補正対象書類名】特許請求の範囲
【補正対象項目名】全文
【補正方法】変更
【補正の内容】
【特許請求の範囲】
【請求項１】
非空調対象空間に設けられ、外部側部を構成する外郭部品を含む筐体と、
前記筐体に着脱自在に取り付けられ、前記筐体の運搬時に握持部として利用可能な運搬取っ手と、を備え、
前記外郭部品は、前記運搬取っ手が係止される係止部を有し、
前記係止部は、前記外郭部品の最外側よりも内側に奥まって設けられている
空気調和機室外ユニット。
【請求項２】
前記運搬取っ手は、
前記筐体に着脱自在に取り付けられる取付部と、
前記取付部に固定された握り部と、を有する
請求項１記載の空気調和機室外ユニット。
【請求項３】
前記取付部が前記係止部の内側に設けられ、前記握り部が前記係止部の外側に設けられる
請求項２記載の空気調和機室外ユニット。
【請求項４】
前記係止部には、前記握り部が側方から挿入されるスリット部が形成されている
請求項３記載の空気調和機室外ユニット。
【請求項５】
前記握り部が前記スリット部に挿入されることによって、前記運搬取っ手は前記筐体にスライドして取り付けられる
請求項４記載の空気調和機室外ユニット。
【請求項６】
前記係止部の前記スリット部の上方の上側垂直面には、前記スリット部から上方に向かって切り欠かれた切り欠き部が形成されており、
前記運搬取っ手が前記筐体に取り付けられた状態で、前記握り部が握持されて前記筐体が持ち上げられるとき、前記握り部が前記切り欠き部に挿入される
請求項５記載の空気調和機室外ユニット。
【請求項７】
前記係止部の前記スリット部の下方の下側垂直面は、前記上側垂直面よりも内側に奥まっている
請求項６記載の空気調和機室外ユニット。
【請求項８】
前記筐体には、他部品と締結されるネジ穴が形成され、
前記運搬取っ手には、前記ネジ穴に対応する取っ手穴が形成されており、
前記運搬取っ手は、前記ネジ穴及び前記取っ手穴を用いて前記筐体に取り付けられる
請求項１記載の空気調和機室外ユニット。
【請求項９】
前記運搬取っ手は、前記筐体の両側の外部側面に取り付けられる
請求項１〜８のいずれか１項に記載の空気調和機室外ユニット。
【国際調査報告】
2020021660.tif 000013
2020021660.tif 000014